(57)【要約】【課題】無線通信システムにおけるダウンリンク信号の送信方法において、変動するＰＤＤＣＨサイズにかかわらず、ダウンリンク信号のＰＤＳＣＨ資源割当てを可能にする方法を提供すること。【解決手段】本発明によれば、無線通信システムで基地局がダウンリンク信号を伝送する方法において、ダウンリンク信号に資源を割り当てること、及び割り当てられた資源を用いてダウンリンク信号を送信することを含み、ダウンリンク信号のうちＰＤＳＣＨを送信するための資源は、サブフレーム内の固定された特定ＯＦＤＭシンボルから割り当てられる、ダウンリンク信号の伝送方法及びその伝送装置が提供される。【選択図】図９
2013502870.tif 000002
【特許請求の範囲】
【請求項１】
無線通信システムにおいて基地局がダウンリンク信号を送信する方法であって、
ダウンリンク信号に資源を割り当てるステップと、
前記の割り当てられた資源を用いてダウンリンク信号を送信するステップと、を有し、
前記ダウンリンク信号のうち物理ダウンリンク共有チャネル（ＰＤＳＣＨ）を送信するための資源は、サブフレーム内の固定された特定ＯＦＤＭシンボルから割り当てられる、方法。
【請求項２】
前記の固定された特定ＯＦＤＭシンボルは、前記サブフレーム内の４番目のＯＦＤＭシンボルである、請求項１に記載の方法。
【請求項３】
前記ＰＤＳＣＨを送信するための資源は、前記サブフレーム内の各ＯＦＤＭシンボルに時間順方向の順序で割り当てられる、請求項２に記載の方法。
【請求項４】
前記の固定された特定ＯＦＤＭシンボルは、前記サブフレーム内の最後のＯＦＤＭシンボルである、請求項１に記載の方法。
【請求項５】
前記ＰＤＳＣＨを送信するための資源は、前記サブフレーム内の各ＯＦＤＭシンボルに時間逆方向の順序で割り当てられる、請求項４に記載の方法。
【請求項６】
前記の固定された特定ＯＦＤＭシンボルは、上位階層無線資源制御（ＲＲＣ）信号通知を通して決定される、請求項１に記載の方法。
【請求項７】
無線通信システムにおいてダウンリンク信号を送信する送信装置であって、
ダウンリンク信号に資源を割り当てるプロセッサと、
前記の割り当てられた資源を用いて前記ダウンリンク信号を送信するＲＦモジュールと、を備え、
前記ダウンリンク信号のうち、物理ダウンリンク共有チャネル（ＰＤＳＣＨ）を送信するための資源は、サブフレーム内の固定された特定ＯＦＤＭシンボルから割り当てられる、装置。
【請求項８】
前記の固定された特定ＯＦＤＭシンボルは、前記サブフレーム内の４番目のＯＦＤＭシンボルである、請求項７に記載の装置。
【請求項９】
前記ＰＤＳＣＨを送信するための資源は、前記サブフレーム内の各ＯＦＤＭシンボルに時間順方向の順序で割り当てられる、請求項８に記載の装置。
【請求項１０】
前記の固定された特定ＯＦＤＭシンボルは、前記サブフレーム内の最後のＯＦＤＭシンボルである、請求項７に記載の装置。
【請求項１１】
前記ＰＤＳＣＨを送信するための資源は、前記サブフレーム内の各ＯＦＤＭシンボルに時間逆方向の順序で割り当てられる、請求項１０に記載の装置。
【請求項１２】
前記の固定された特定ＯＦＤＭシンボルは、上位階層無線資源制御（ＲＲＣ）信号通知を通して決定される、請求項７に記載の装置。
【請求項１３】
無線通信システムにおいて基地局がダウンリンク信号を送信する方法であって、
ダウンリンク信号に資源を割り当てるステップと、
前記の割り当てられた資源を用いてダウンリンク信号を送信するステップと、を有し、
前記ダウンリンク信号のうち物理ダウンリンク制御チャネル（ＰＤＣＣＨ）サイズを決定する物理制御フォーマット指示子チャネル（ＰＣＦＩＣＨ）の制御情報値は、上位階層無線資源制御（ＲＲＣ）信号通知を通じて決定される、方法。
【発明の詳細な説明】
【技術分野】
【０００１】
本発明は、無線通信システムに関するもので、特に、無線通信システムにおいて基地局がダウンリンク信号を送信する方法に関するものである。
【背景技術】
【０００２】
本発明が適用され得る移動体通信システムの一例として、第３世代パートナシッププロジェクト（３ＧＰＰ）長期進化通信システム（以下、「ＬＴＥ」という）について概略的に説明する。図１は、移動通信システムの一例として進化汎用移動体通信システム（Ｅ‐ＵＭＴＳ）の網構成を概略的に示した図である。Ｅ‐ＵＭＴＳは、既存の汎用移動体通信システム（ＵＭＴＳ）から進化したシステムであって、現在３ＧＰＰで基礎的な標準化作業が行われている。一般に、Ｅ‐ＵＭＴＳは、ＬＴＥシステムとも言える。ＵＭＴＳ及びＥ‐ＵＭＴＳの技術規格の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照されたい。
【０００３】
図１を参照すると、Ｅ‐ＵＭＴＳは、端末（ＵＥ）１２０と、基地局（ｅＮｏｄｅ  Ｂ；ｅＮＢ）１１０ａ及び１１０ｂと、ネットワーク（Ｅ‐ＵＴＲＡＮ）の終端に位置し、外部ネットワークと接続される接続ゲートウェイ（Ａｃｃｅｓｓ  Ｇａｔｅｗａｙ；ＡＧ）とを含む。基地局は、ブロードキャストサービス、マルチキャストサービス及び／又はユニキャストサービスのために複数のデータストリームを同時に送信することができる。
【０００４】
一つの基地局には一つ以上のセルが存在する。セルは、１．２５、２．５、５、１０、１５、２０ＭＨｚなどの帯域幅のうち一つに設定され、多くの端末にダウンリンク又はアップリンク伝送サービスを提供する。別個のセルは、別個の帯域幅を提供するように設定することができる。基地局は、複数の端末に対するデータ送受信を制御する。基地局は、ダウンリンク（ＤＬ）データに対してダウンリンクスケジュール情報を送信し、該当の端末にデータが送信される時間／周波数領域、符号化、データサイズ、ハイブリッド自動再送要求（ＨＡＲＱ）関連情報などを知らせる。また、基地局は、アップリンク（ＵＬ）データに対してアップリンクスケジュール情報を該当の端末に送信し、該当の端末が使用可能な時間／周波数領域、符号化、データサイズ、ＨＡＲＱ関連情報などを知らせる。基地局間には、ユーザ情報又は制御情報伝送のためのインタフェースを使用することができる。コア網（ＣＮ）は、ＡＧ及び端末のユーザ登録などのためのネットワークノードなどによって構成することができる。ＡＧは、複数のセルによって構成される追跡範囲（ＴＡ）単位で端末の移動性を管理する。
【０００５】
無線通信技術は、ＷＣＤＭＡを基盤としてＬＴＥまで開発されてきたが、ユーザ及び事業者の要求及び期待は増加し続けている。また、他の無線接続技術が継続して開発されているため、今後競争力を有するためには新しい技術進化が要求される。すなわち、ビット当たりの費用減少、サービス可用性増大、融通性のある周波数バンドの使用、単純構造、開放型インタフェース、端末の適切な電力消費、などが要求される。
【０００６】
最近、３ＧＰＰは、ＬＴＥに対する後続技術の標準化作業を進めている。本明細書では、上記技術を「高度ＬＴＥ」（ＬＴＥ‐Ａｄｖａｎｃｅｄ）又は「ＬＴＥ‐Ａ」と称する。ＬＴＥシステムとＬＴＥ‐Ａシステムとの主な相違点のうち一つはシステム帯域幅の差である。ＬＴＥ‐Ａシステムは、最大１００ＭＨｚの広帯域をサポートすることを目標としている。
【発明の概要】
【発明が解決しようとする課題】
【０００７】
本発明は、ダウンリンク信号の送信方法において、変動する物理ダウンリンクデータチャネル（ＰＤＤＣＨ）のサイズとは関係なく、ダウンリンク信号のＰＤＳＣＨ資源の割り当てを可能にする信号送信方法を提供するためのものである。
【０００８】
本発明で達成しようとする技術的課題は、以上言及した各技術的課題に制限されず、言及していない他の技術的課題は、下記の記載から本発明の属する技術分野で通常の知識を有する者には明確に理解されるであろう。
【課題を解決するための手段】
【０００９】
上記のような課題を解決するために、無線通信システムにおいて基地局がダウンリンク信号を伝送する方法は、ダウンリンク信号に資源を割り当てること、及び上記の割り当てられた資源を用いてダウンリンク信号を送信することを含み、上記ダウンリンク信号のうち物理ダウンリンク共有チャネル（ＰＤＳＣＨ）を送信するための資源は、サブフレーム内の固定された特定の直交周波数分割多重（ＯＦＤＭ）シンボルに割り当てられる。
【００１０】
ダウンリンク信号伝送方法において、上記の固定された特定ＯＦＤＭシンボルは、上記サブフレーム内の４番目のＯＦＤＭシンボルであり、上記ＰＤＳＣＨを送信するための資源は、上記サブフレーム内の各ＯＦＤＭシンボルに時間順方向の順序で割り当てられる。
【００１１】
また、ダウンリンク信号伝送方法において、上記の固定された特定ＯＦＤＭシンボルは、上記サブフレーム内の最後のＯＦＤＭシンボルであり、上記ＰＤＳＣＨを送信するための資源は、上記サブフレーム内の各ＯＦＤＭシンボルに時間逆方向の順序で割り当てられる。
【００１２】
また、端末が任意のダウンリンク搬送波に対するデータ物理チャネルの受信及び復号を行う際に、該当搬送波の制御チャネル伝送シンボルの数、該当搬送波のデータ物理チャネルの物理資源マップ開始シンボルの位置若しくは該当のシンボルインデクスを、搬送波特定及び／又は端末特定に、又は搬送波特定及び／又は基地局（又はセル若しくはリレーノード）特定に、上位階層無線資源制御（ＲＲＣ）信号通知によって基地局（又はセル若しくはリレーノード）が端末（又はダウンリンク受信主体としてのリレーノード）に知らせることができる。
【００１３】
また、上記のような課題を解決するために、無線通信システムにおいてダウンリンク信号を送信する送信装置は、ダウンリンク信号に資源を割り当てるプロセッサ、及び上記の割り当てられた資源を用いて上記ダウンリンク信号を送信するＲＦモジュールを含み、上記ダウンリンク信号のうち、ＰＤＳＣＨを送信するための資源は、サブフレーム内の固定された特定ＯＦＤＭシンボルに割り当てられる。
【発明の効果】
【００１４】
本発明の各実施例によると、ＰＤＣＣＨサイズの変動によるＰＤＳＣＨの資源割り当ての不確実性を解決できるため、ＰＤＣＣＨサイズの変動によるデータ受信での誤りを防止するという効果がある。
【００１５】
本発明で得られる効果は、以上言及した各効果に制限されず、言及していない他の効果は、下記の記載から本発明の属する技術分野で通常の知識を有する者には明確に理解されるであろう。
【００１６】
本発明に関する理解を促進するために、詳細な説明の一部として含まれる添付の図面は、本発明に対する実施例を提供し、詳細な説明と共に本発明の技術的思想を説明する。
【図面の簡単な説明】
【００１７】
【図１】移動体通信システムの一例としてＥ‐ＵＭＴＳ網構造を概略的に示した図である。
【図２】３ＧＰＰ無線接続網規格を基盤とした端末とＥ‐ＵＴＲＡＮとの間の無線インタフェースプロトコルの制御平面及びユーザ平面の構造を示した図である。
【図３】３ＧＰＰシステムに用いられる各物理チャネル及びこれらを用いた一般的な信号伝送方法を説明するための図である。
【図４】ＬＴＥシステムにおいて使用される無線フレームの構造を例示する図である。
【図５】ダウンリンク無線フレームの機能的構造を例示する図である。
【図６】ダウンリンクスロットに対する資源グリッドを例示する図である。
【図７】サブフレームの制御領域に含まれる制御チャネルを例示する図である。
【図８】制御チャネルを構成するために使用される資源単位を示す図である。
【図９】本発明と関連して時間順方向へのＰＤＳＣＨデータに対する資源割り当てを示す図である。
【図１０】本発明と関連して時間逆方向へのＰＤＳＣＨデータに対する資源割り当てを示す図である。
【図１１】本発明と関連して基地局の構成を概略的に示す図である。
【発明を実施するための形態】
【００１８】
以下、添付の図面を参照して説明する本発明の各実施例によって、本発明の構成、作用及び他の特徴を容易に理解できるであろう。以下で説明する各実施例は、本発明の技術的特徴が３ＧＰＰシステムに適用された各例である。
【００１９】
以下、システム帯域が単一の成分搬送波を使用するシステムを、従来システム又は狭帯域システムと称する。これに対応して、システム帯域が複数の成分搬送波を含み、少なくとも一つ以上の成分搬送波を従来システムのシステムブロックとして使用するシステムを、進化したシステム又は広帯域システムと称する。従来システムブロックとして使用される成分搬送波は、従来システムのシステムブロックと同一の大きさを有する。一方、残りの成分搬送波の大きさは特別に制限されない。しかし、システムの単純化のために、上記残りの成分搬送波の大きさも従来システムのシステムブロック大きさに基づいて決定することができる。一例として、３ＧＰＰ  ＬＴＥシステム及び３ＧＰＰ  ＬＴＥ‐Ａシステムは、従来システム及び進化したシステムの関係にある。
【００２０】
上記定義に基づいて、本明細書では、３ＧＰＰ  ＬＴＥシステムをＬＴＥシステム又は従来システムと称する。また、ＬＴＥシステムをサポートする端末をＬＴＥ端末又は従来端末と称する。これに対応して、３ＧＰＰ  ＬＴＥ‐ＡシステムをＬＴＥ‐Ａシステム又は進化したシステムと称する。また、ＬＴＥ‐Ａシステムをサポートする端末をＬＴＥ‐Ａ端末又は進化した端末と称する。
【００２１】
便宜上、本明細書は、ＬＴＥシステム及びＬＴＥ‐Ａシステムを使用して本発明の実施例を説明するが、これは例示であって、本発明の実施例は、上記定義に該当するいずれの通信システムにも適用可能である。また、本明細書は周波数分割２重通信（ＦＤＤ）方式を基準にして本発明の実施例について説明するが、これは例示であって、本発明の実施例は周波数分割半２重通信（Ｈ‐ＦＤＤ）方式又は時分割２重通信（ＴＤＤ）方式にも容易に変形して適用可能である。
【００２２】
図２は、３ＧＰＰ無線接続網規格を基盤とした端末とＥ‐ＵＴＲＡＮとの間の無線インタフェースプロトコルの制御平面及びユーザ平面の構造を示す図である。制御平面は、端末（ＵＥ）及びネットワークが呼を管理するために用いる各制御メッセージが伝送される通路を意味する。ユーザ平面は、アプリケーション階層で生成されたデータ、例えば、音声データ又はインターネットパケットデータなどが伝送される通路を意味する。
【００２３】
第１の階層である物理階層は、物理チャネルを用いて上位階層に情報伝送サービスを提供する。物理階層は、上位にある媒体接続制御階層と伝送チャネルを介して接続されている。上記伝送チャネルを介して媒体接続制御階層と物理階層との間にデータが移動する。送信側及び受信側の物理階層間には物理チャネルを介してデータが移動する。上記物理チャネルは、時間及び周波数を無線資源として活用する。具体的には、物理チャネルは、ダウンリンクにおいては直交周波数分割多元接続（ＯＦＤＭＡ）方式で変調され、アップリンクにおいては単一搬送波周波数分割多元接続（ＳＣ‐ＦＤＭＡ）方式で変調される。
【００２４】
第２の階層の媒体接続制御（ＭＡＣ）階層は、論理チャネルを介して上位階層である無線リンク制御（ＲＬＣ）階層にサービスを提供する。第２の階層のＲＬＣ階層は、信頼性のあるデータ伝送をサポートする。ＲＬＣ階層の機能は、ＭＡＣ内部の機能ブロックで具現することもできる。第２の階層のパケットデータ融合プロトコル（ＰＤＣＰ）階層は、帯域幅の狭い無線インタフェースにおいて、ＩＰｖ４又はＩＰｖ６などのＩＰパケットを効率的に伝送するために、不必要な制御情報を減少させるヘッダ圧縮機能を行う。
【００２５】
第３の階層の最下部に位置した無線資源制御（ＲＲＣ）階層は、制御平面だけで定義される。ＲＲＣ階層は、各無線ベアラ（ＲＢ）の設定、再設定及び解除と関連して論理チャネル、伝送チャネル及び物理チャネルの制御を担当する。ＲＢは、端末とネットワークとの間のデータ伝達のために第２の階層によって提供されるサービスを意味する。このために、端末及びネットワークのＲＲＣ階層は、ＲＲＣメッセージを交換する。端末及びネットワークのＲＲＣ階層間にＲＲＣ接続がある場合、端末はＲＲＣ接続状態（Ｃｏｎｎｅｃｔｅｄ  Ｍｏｄｅ）にあり、そうでない場合はＲＲＣ休止状態（Ｉｄｌｅ  Ｍｏｄｅ）にある。ＲＲＣ階層の上位にある非接続層（Ｎｏｎ‐Ａｃｃｅｓｓ  Ｓｔｒａｔｕｍ：ＮＡＳ）階層は、セッション管理及び移動性管理などの機能を行う。
【００２６】
基地局（ｅＮＢ）を構成する一つのセルは、１．２５，２．５，５，１０，１５，２０ＭＨｚなどの帯域幅のうち一つに設定され、複数の端末にダウンリンク又はアップリンク送信サービスを提供する。別個のセルは、別個の帯域幅を提供するように設定することができる。
【００２７】
ネットワークから端末にデータを送信するダウンリンク伝送チャネルとしては、システム情報を送信するブロードキャストチャネル（ＢＣＨ）、呼出しメッセージを伝送する呼出しチャネル（ＰＣＨ）、ユーザ情報又は制御メッセージを送信するダウンリンク共有チャネル（ＳＣＨ）などがある。ダウンリンクマルチキャスト又はブロードキャストサービスの情報又は制御メッセージの場合、ダウンリンクＳＣＨを介して送信することもできるし、別途のダウンリンクマルチキャストチャネル（ＭＣＨ）を介して伝送することもできる。一方、端末からネットワークにデータを送信するアップリンク伝送チャネルとしては、初期制御メッセージを伝送するランダム接続チャネル（ＲＡＣＨ）と、ユーザ情報又は制御メッセージを伝送するアップリンクＳＣＨとがある。伝送チャネルの上位にあり、伝送チャネルにマップされる論理チャネルとしては、ブロードキャスト制御チャネル（ＢＣＣＨ）、呼出し制御チャネル（ＰＣＣＨ）、共通制御チャネル（ＣＣＣＨ）、マルチキャスト制御チャネル（ＭＣＣＨ）、マルチキャスト情報チャネル（ＭＴＣＨ）、などがある。
【００２８】
図３は、３ＧＰＰシステムに用いられる各物理チャネル及びこれらを用いた一般的な信号伝送方法を説明するための図である。
【００２９】
端末は、電源がオンになるか、新たにセルに進入した場合、基地局と同期を合わせるなどの初期セル探索作業を行う（Ｓ３０１）。このために、端末は、基地局から主同期チャネル（Ｐ‐ＳＣＨ）及び副同期チャネル（Ｓ‐ＳＣＨ）を受信して基地局と同期を合わせ、セルＩＤなどの情報を取得することができる。その後、端末は、基地局から物理ブロードキャストチャネルを受信し、セル内のブロードキャスト情報を取得することができる。一方、端末は、初期セル探索段階でダウンリンク参照信号（ＤＬ  ＲＳ）を受信し、ダウンリンクチャネル状態を確認することができる。
【００３０】
初期セル探索を終了した端末は、物理ダウンリンク制御チャネル（ＰＤＣＣＨ）及び上記ＰＤＣＣＨに載せられた情報によって物理ダウンリンク共有チャネル（ＰＤＳＣＨ）を受信することによって、より具体的なシステム情報を取得することができる（Ｓ３０２）。
【００３１】
一方、基地局に最初に接続した場合、又は信号伝送のための無線資源がない場合、端末は、基地局に対してランダム接続過程（ＲＡＣＨ）を行うことができる（段階Ｓ３０３〜段階Ｓ３０６）。このために、端末は、物理ランダム接続チャネル（ＰＲＡＣＨ）を介して特定シーケンスをプリアンブルとして送信し（Ｓ３０３及びＳ３０５）、ＰＤＣＣＨ及び対応するＰＤＳＣＨを介してプリアンブルに対する応答メッセージを受信することができる（Ｓ３０４及びＳ３０６）。競合ベースＲＡＣＨの場合、追加的に衝突解決手順を行うことができる。
【００３２】
上述したような手順を行った端末は、その後、一般的なアップリンク／ダウンリンク信号伝送手順として、ＰＤＣＣＨ／ＰＤＳＣＨ受信（Ｓ３０７）及び物理アップリンク共有チャネル（ＰＵＳＣＨ）／物理アップリンク制御チャネル（ＰＵＣＣＨ）送信（Ｓ３０８）を行うことができる。端末がアップリンクを通して基地局に送信、又は端末が基地局から受信する情報は、ダウンリンク／アップリンク肯定応答（ＡＣＫ）／否定応答（ＮＡＣＫ）信号、チャネル品質指示子（ＣＱＩ）、プリコーディング行列インデクス（ＰＭＩ）、ランク指示子（ＲＩ）などを含む。３ＧＰＰ  ＬＴＥシステムの場合、端末は、上述したＣＱＩ／ＰＭＩ／ＲＩなどの情報を、ＰＵＳＣＨ及び／又はＰＵＣＣＨを介して送信することができる。
【００３３】
図４は、ＬＴＥシステムで使用される無線フレームの構造を例示する図である。
【００３４】
図４を参照すると、無線フレームは、１０ｍｓ（３２７２００・Ｔs）の長さを有し、１０個の均等な大きさのサブフレームで構成されている。それぞれのサブフレームは、１ｍｓの長さを有し、２個のスロットで構成されている。それぞれのスロットは０．５ｍｓ（１５３６０・Ｔｓ）の長さを有する。ここで、Ｔｓはサンプリング時間を示し、Ｔｓ＝１／（１５ｋＨｚ×２０４８）＝３．２５５２×１０-8（約３３ｎｓ）で表される。スロットは、時間領域で複数のＯＦＤＭシンボルを含み、周波数領域で複数の資源ブロック（ＲＢ）を含む。ＬＴＥシステムにおいては、一つの資源ブロックは１２個の副搬送波×７（６）個のＯＦＤＭシンボルを含む。データが送信される単位時間である送信時間間隔（ＴＴＩ）は、一つ以上のサブフレーム単位で定めることができる。上述した無線フレームの構造は例示に過ぎず、無線フレームに含まれるサブフレームの数と、サブフレームに含まれるスロットの数と、スロットに含まれるＯＦＤＭシンボルの数とは、多様に変更可能である。
【００３５】
図５は、ダウンリンク無線フレームの機能的構造を例示する。
【００３６】
図５を参照すると、ダウンリンク無線フレームは、均等な長さを有する１０個のサブフレームを含む。３ＧＰＰ  ＬＴＥシステムにおいて、サブフレームは全体のダウンリンク周波数に対してパケットスケジュールの基本時間単位で定義される。各サブフレームは、スケジュール情報及びその他の制御チャネル送信のための区間（制御領域）と、ダウンリンクデータ送信のための区間（データ領域）とに分けられる。制御領域は、サブフレームの１番目のＯＦＤＭシンボルから開始され、一つ以上のＯＦＤＭシンボルを含む。制御領域の大きさは、サブフレームごと独立に設定することができる。制御領域は、第１階層（Ｌ１）／第２階層（Ｌ２）制御信号を送信するために使用される。そして、データ領域は、ダウンリンク情報を送信するために使用される。
【００３７】
図６は、ダウンリンクスロットに対する資源グリッドを例示する。
【００３８】
図６を参照すると、ダウンリンクスロットは、時間領域でＯＦＤＭシンボルを含み、周波数領域で資源ブロックを含む。それぞれの資源ブロックが副搬送波を含むため、ダウンリンクスロットは周波数領域で複数の副搬送波を含む。図３は、ダウンリンクスロットが７ＯＦＤＭシンボルを含み、資源ブロックが１２副搬送波を含むことを例示しているが、必ずしもこれに制限されることはない。例えば、ダウンリンクスロットに含まれるＯＦＤＭシンボルの個数は、循環プレフィクス（ＣＰ）の長さによって変更可能である。
【００３９】
資源グリッド上の各要素を資源要素（ＲＥ）といい、一つの資源要素は、一つのＯＦＤＭシンボルインデクス及び一つの副搬送波インデクスで指示される。一つのＲＢは複数の資源要素で構成されている。ダウンリンクスロットに含まれる資源ブロックの数は、セルで設定されるダウンリンク送信帯域幅に依存する。
【００４０】
図７は、サブフレームの制御領域に含まれる制御チャネルを例示する。
【００４１】
図７を参照すると、サブフレームは１４個のＯＦＤＭシンボルで構成されている。サブフレームの設定によって最初の１〜３個のＯＦＤＭシンボルは制御領域として使用され、残りの１３〜１１個のＯＦＤＭシンボルはデータ領域として使用される。
【００４２】
図７において、Ｒ１〜Ｒ４は、アンテナ０〜３に対する参照信号（ＲＳ）を示す。ＲＳは、制御領域及びデータ領域とは関係なく、サブフレーム内に一定のパターンで固定される。制御チャネルは、制御領域のうちＲＳが割り当てられていない資源に割り当てられ、情報チャネルも、データ領域のうちＲＳが割り当てられていない資源に割り当てられる。制御領域に割り当てられる制御チャネルとしては、物理制御フォーマット指示子チャネル（ＰＣＦＩＣＨ）、物理ＨＡＲＱ指示子チャネル（ＰＨＩＣＨ）、物理ダウンリンク制御チャネル（ＰＤＣＣＨ）、などがある。
【００４３】
ＰＣＦＩＣＨは、物理制御フォーマット指示子チャネルであって、毎サブフレームごとにＰＤＣＣＨに使用されるＯＦＤＭシンボルの個数を端末に知らせる。ＰＣＦＩＣＨは、１番目のＯＦＤＭシンボルに位置し、ＰＨＩＣＨ及びＰＤＣＣＨに優先して設定される。ＰＣＦＩＣＨは、４個の資源要素グループ（ＲＥＧ）によって構成され、それぞれのＲＥＧは、セルＩＤに基づいて制御領域内に分散される。一つのＲＥＧは４個のＲＥによって構成される。ＲＥＧ構造は、図８を参照して詳細に説明する。ＰＣＦＩＣＨは、１〜３の値を指示し、４位相遷移変調（ＱＰＳＫ）で変調される。
【００４４】
ＰＨＩＣＨは、物理ＨＡＲＱ指示子チャネルであって、アップリンク伝送に対するＨＡＲＱ  ＡＣＫ／ＮＡＣＫを送信する用途で使用される。ＰＨＩＣＨは、３個のＲＥＧによって構成され、セル特定にスクランブルされる。ＡＣＫ／ＮＡＣＫは、１ビットで指示され、拡散係数（ＳＦ）＝２又は４で拡散されて３回繰り返される。複数のＰＨＩＣＨが同一の資源にマップされることもある。ＰＨＩＣＨは２位相偏移変調（ＢＰＳＫ）で変調される。
【００４５】
ＰＤＣＣＨは、物理ダウンリンク制御チャネルであって、サブフレームの最初のｎ個のＯＦＤＭシンボルに割り当てられる。ここで、ｎは、１以上の整数としてＰＣＦＩＣＨによって指示される。ＰＤＣＣＨは一つ以上のＣＣＥによって構成される。これについては、後で詳細に説明する。ＰＤＣＣＨは、伝送チャネルであるＰＣＨ及びＤＬ‐ＳＣＨの資源割り当て情報、アップリンクスケジュール許可、ＨＡＲＱ情報などを各端末又は端末グループに知らせる。
【００４６】
ただし、ＰＣＨ及びＤＬ‐ＳＣＨはＰＤＳＣＨを介して伝送される。したがって、基地局及び端末は、一般に特定の制御情報又は特定のサービスデータを除いては、ＰＤＳＣＨを介してデータをそれぞれ送信及び受信する。
【００４７】
ＰＤＳＣＨのデータがどの端末（一つ又は複数の端末）に送信されるものであり、上記各端末がどのようにＰＤＳＣＨデータを受信して復号すべきであるかに関する情報などはＰＤＣＣＨに含めて送信される。例えば、特定ＰＤＣＣＨが「Ａ」という無線ネットワーク一時識別子（ＲＮＴＩ）によってＣＲＣマスクされており、「Ｂ」という無線資源（例えば、周波数位置）及び「Ｃ」という送信フォーマット情報（例えば、送信ブロックサイズ、変調方式、符号化情報など）を用いて送信されるデータに関する情報が特定サブフレームを介して送信されると仮定する。このようにすると、該当のセルにある一つ以上の端末は、自分が有しているＲＮＴＩ情報を用いてＰＤＣＣＨを監視し、「Ａ」ＲＮＴＩを有している一つ以上の端末がある場合、上記各端末はＰＤＣＣＨを受信し、受信したＰＤＣＣＨの情報を介して、「Ｂ」と「Ｃ」によって指示されるＰＤＳＣＨを受信する。
【００４８】
図８の（ａ）、（ｂ）は、制御チャネルを構成するために使用される資源単位を示す。特に、図８（ａ）は、基地局の送信アンテナの個数が１又は２個である場合を示し、図８（ｂ）は、基地局の送信アンテナの個数が４個である場合を示す。送信アンテナの個数によってＲＳパターンが異なるだけで、制御チャネルと関連した資源単位の設定方法は同一である。
【００４９】
図８の（ａ）、（ｂ）を参照すると、制御チャネルの基本資源単位はＲＥＧである。ＲＥＧは、ＲＳを除いた状態で４個の隣接する資源要素（ＲＥ）で構成される。ＲＥＧは、図面で太い線で示した。ＰＣＦＩＣＨ及びＰＨＩＣＨは、それぞれ４個のＲＥＧ及び３個のＲＥＧを含む。ＰＤＣＣＨは、制御チャネル要素（ＣＣＥ）単位で構成され、一つのＣＣＥは９個のＲＥＧを含む。
【００５０】
端末は、自分にＬ個のＣＣＥからなるＰＤＣＣＨが送信されるかどうかを確認するために、Ｍ(L)（≧Ｌ）個の連続的に、又は特定規則に従って配置されたＣＣＥを確認するように設定される。端末がＰＤＣＣＨ受信のために考慮すべきＬ値は複数になり得る。端末がＰＤＣＣＨ受信のために確認すべきＣＣＥ集合を検索空間（ｓｅａｒｃｈ  ｓｐａｃｅ）という。一例として、ＬＴＥシステムは、検索空間を表１のように定義している。
【００５１】
【表１】
2013502870.tif 000003
【００５２】
ここで、ＣＣＥ集成レベル（ａｇｇｒｅｇａｔｉｏｎ  ｌｅｖｅｌ）Ｌは、ＰＤＣＣＨを構成するＣＣＥの個数を示し、Ｓｋ（Ｌ）は、ＣＣＥ集成レベルＬの検索空間を示し、Ｍ（Ｌ）は、集成レベルＬの検索空間で監視すべき候補ＰＤＣＣＨの個数である。
【００５３】
検索空間は、特定端末だけに対して利用が許容される端末特定検索空間（ＵＥ‐ｓｐｅｃｉｆｉｃ  ｓｅａｒｃｈ  ｓｐａｃｅ）と、セル内のすべての端末に対して利用が許容される共通検索空間（ｃｏｍｍｏｎ  ｓｅａｒｃｈ  ｓｐａｃｅ）とに区分することができる。端末は、ＣＣＥ集成レベルが４及び８である共通検索空間を監視し、ＣＣＥ集成レベルが１，２，４及び８である端末特定検索空間を監視する。共通検索空間及び端末特定検索空間はオーバラップ可能である。
【００５４】
また、各ＣＣＥ集成レベル値に対して任意の端末に与えられるＰＤＣＣＨ検索空間において、１番目（最も小さいインデクスを有する）のＣＣＥの位置は、端末によって毎サブフレームごとに変化する。これをＰＤＣＣＨ検索空間ハッシュという。
【００５５】
以下では、本発明と関連したＰＤＳＣＨ資源マップについて説明する。
【００５６】
ＰＤＳＣＨへの資源マップは、ＰＤＣＣＨへの各ＯＦＤＭシンボルのマップ後に開始される。
【００５７】
しかし、端末の立場では、ＰＤＣＣＨに使用されたＯＦＤＭシンボルのサイズをＰＣＦＩＣＨに対する復号に成功した後で知ることができる。したがって、ＰＣＦＩＣＨに対する復号過程で誤りが発生した場合、例えば、ＰＣＦＩＣＨの受信に問題が発生した場合は、ＰＤＳＣＨに割り当てられたＯＦＤＭシンボルの位置判読に誤りが存在し得る。
【００５８】
このようなＰＤＳＣＨに割り当てられたＯＦＤＭシンボルの位置判読誤りは、データ受信自体に誤りを引き起こすという問題を有する。
【００５９】
以下では、より具体的に既存の方式を説明する。
【００６０】
ＰＤＳＣＨを介して送信しようとするＯＦＤＭシンボルに送信資源を割り当てる方法は、周波数優先マップ方法である。具体的に、ＰＤＣＣＨ領域、すなわち、制御領域は、割り当てられていない各ＯＦＤＭシンボルのうち１番目のＯＦＤＭシンボルから開始する。上記１番目のＯＦＤＭシンボルの周波数領域に対して資源を割り当てた後、次の２番目のＯＦＤＭシンボルに移動する。同様に、上記２番目のＯＦＤＭシンボルの周波数領域に対して資源を割り当てた後、次の３番目のＯＦＤＭシンボルに移動する。このような過程が繰り返され、サブフレームのデータ領域に対して資源を割り当てる。
【００６１】
このような既存の資源割り当て方式によると、マップの開始位置が、使用されたＰＤＣＣＨサイズによって変化するという問題がある。ここで、ＰＤＣＣＨサイズは、ＰＣＦＩＣＨによって指示される。
【００６２】
整理すると、既存の方式によると、ＰＤＳＣＨに割り当てられる資源はＰＤＣＣＨサイズに依存し、このようなＰＤＣＣＨサイズはＰＣＦＩＣＨの復号によって変化する。データ受信自体がＰＣＦＩＣＨの復号及びＰＤＣＣＨサイズによって変わり得る状況で、ＤＬチャネル割り当てＰＤＣＣＨが送信されるＤＬ成分搬送波（ＣＣ）と、該当のスケジュールするＰＤＳＣＨが送信されるＤＬ  ＣＣとが異なる場合、ＤＬチャネル割り当てＰＤＣＣＨ及び該当のスケジュールされるＤＬ  ＣＣ上のＰＣＦＩＣＨの誤りが完全に結び付けられないため、誤り発生によって端末受信ＨＡＲＱバッファに本来意図したＰＤＳＣＨのデータ情報と異なる情報が入力されるＨＡＲＱバッファ誤り破綻（ｃｏｒｒｕｐｔｉｏｎ）確率が高くなるという問題がある。
【００６３】
本発明は、このような問題を解決するために次のような方式を提案し、それぞれの方式を以下で説明する。
【００６４】
第１の方式は、ＰＤＳＣＨの変調シンボルの物理資源マップにおいて固定されたシンボルマップ方式を使用する方式である。
【００６５】
第２の方式は、ＰＣＦＩＣＨの復号結果をダブルチェックするパリティビットを使用する方式である。
【００６６】
第３の方式は、ＰＤＣＣＨ上で送信される端末特定（ＵＥ‐ｓｐｅｃｉｆｉｃ）又は基地局（或いはセル又はリレーノード）特定（ｃｅｌｌ‐ｓｐｅｃｉｆｉｃ）に、付加的にＤＬ  ＣＣ別に特定される値としてＰＤＣＣＨ  ＤＣＩフォーマット送信又は上位階層ＲＲＣ信号通知を用いて、ＰＣＦＩＣＨサイズ又は該当のスケジュールされるＰＤＳＣＨの変調シンボルが物理資源にマップされる開始ＯＦＤＭシンボルを指示する方式である。
【００６７】
まず、第１の方式である固定シンボルマップ方式を説明する。
【００６８】
固定シンボルマップ方式とは、資源マップが実際のＰＤＣＣＨサイズとは関係なく、常に特定ＯＦＤＭシンボル位置から開始する方式である。例えば、１．４ＭＨｚより大きいシステム帯域幅の場合、ＰＤＣＣＨサイズは３ＯＦＤＭシンボルより大きくなることはない。したがって、ＰＤＳＣＨ  ＯＦＤＭシンボルマップの開始点は、ＯＦＤＭシンボルのうち同一のサブフレーム内のＰＤＣＣＨに割り当てられたＯＦＤＭシンボルを除いた任意のＯＦＤＭシンボルであってよい。
【００６９】
本発明は、次の特徴を有する変調シンボルにマップすることができる。
【００７０】
本発明は、変調マップにおいて、開始ＯＦＤＭシンボルインデクスは、実際のＰＤＣＣＨサイズとは関係なく、常に使用可能な各シンボルのうち特定シンボルである。
【００７１】
開始ＯＦＤＭシンボルインデクスとして使用可能なＯＦＤＭシンボルインデクスは、第４のＯＦＤＭシンボルであってよい。また、１．４ＭＨｚシステム帯域幅の場合、開始ＯＦＤＭシンボルインデクスは第５のＯＦＤＭシンボルであってよい。開始ＯＦＤＭシンボルインデクスに対する資源マップ後、同一サブフレーム内の他のＯＦＤＭシンボルインデクスへの資源マップが行われる。
【００７２】
リレーの場合、ハードウェアＴｘ／Ｒｘモードの遷移ギャップによって使用可能なＯＦＤＭシンボルインデクスが制限されるおそれがある。この場合、使用可能な開始ＯＦＤＭシンボルインデクスの範囲は、上記Ｔｘ／Ｒｘ遷移ギャップを防止するためのガードシンボルを除いた各ＯＦＤＭシンボルに制限される。
【００７３】
上記特徴を有する使用可能なＯＦＤＭシンボルインデクスは、表２によって説明することができる。
【００７４】
【表２】
2013502870.tif 000004
【００７５】
任意のＯＦＤＭシンボルインデクスは、適切なバッファ管理のために表２から選択することができる。しかし、望ましくは、開始位置は、サブフレームの第４のＯＦＤＭシンボルのように、ＰＤＣＣＨによって影響されない固定されたＯＦＤＭシンボルである。
【００７６】
このようなシンボルマップ方法は、サブフレームの最後まで各ＯＦＤＭシンボルを充填した後、基地局又はセル特定に定められる該当のＤＬ  ＣＣ上のＰＣＦＩＣＨを介して動的に定められるＰＤＣＣＨ送信ＯＦＤＭシンボルの位置と、上記ＰＤＳＣＨ変調シンボルの物理資源マップが開始されるＯＦＤＭシンボル位置との間に余分のＯＦＤＭシンボルがある場合、該当のＯＦＤＭシンボルに各ＰＤＳＣＨ変調シンボルが追加的にマップされるという点を除いては、従来の方式と同一である。
【００７７】
上記の短いＰＤＣＣＨ送信シンボルの数によって使用可能なＰＤＳＣＨ変調シンボルの追加的なマップにおいて、基本的にＲｅｌ‐８の周波数優先方式に従いつつ、ＯＦＤＭシンボルのマップ順序は時間順方向又は時間逆方向の順序に定義することができる。
【００７８】
すなわち、追加的なＯＦＤＭシンボルに対するマップは、順方向シンボルインデクスとして最初に使用可能なＯＦＤＭシンボルインデクス、又は逆方向シンボルインデクスとして最後に使用可能なＯＦＤＭシンボルインデクスから開始することができる。
【００７９】
図９は、順方向シンボルインデクスから開始するマップ方式の一例を示す。
【００８０】
開始ＯＦＤＭシンボルインデクスとしては第４のＯＦＤＭが選択される。ここで、開始ＯＦＤＭシンボルインデクスは、固定された位置であることを特徴とする。また、開始ＯＦＤＭシンボルインデクスは、制御領域に該当するＰＤＣＣＨのサイズとは関係なく固定された位置である。
【００８１】
開始ＯＦＤＭシンボルインデクスとしての第４のＯＦＤＭシンボルに対するマップを開始する。マップが開始された後、時間順方向の順序で次のＯＦＤＭシンボルに対するマップを開始する。図面では、第５のＯＦＤＭシンボルに対するマップが行われる。第５のＯＦＤＭシンボルに対するマップ後、その次のＯＦＤＭシンボルである第６のＯＦＤＭシンボルに対するマップが開始される。このような過程が繰り返され、第１４のＯＦＤＭシンボルに対するマップまで進行する。第１４のＯＦＤＭシンボルに対するマップが完了した場合、該当のサブフレームに対するマップが完了する。上記説明で提案される余分のＰＤＳＣＨ変調シンボルをマップするＯＦＤＭシンボルが第４のＯＦＤＭシンボル以前のＯＦＤＭシンボルとして存在する場合、第１４のＯＦＤＭシンボルが最終的にマップされた後、該当の各シンボルに対して上記の提案する追加的なＰＤＳＣＨの変調シンボルの物理資源マップ方法を適用して順次マップする。
【００８２】
これと異なり、逆方向のシンボルインデクス順序で変調シンボルをマップすることができる。
【００８３】
変調シンボルマップに使用された１番目のＯＦＤＭシンボルが、サブフレーム内の最後のＯＦＤＭシンボルになり得る。例えば、第２のスロットの最後に該当する第１４のＯＦＤＭシンボルからマップを開始することができる。
【００８４】
図１０は、時間逆方向の順序へのマップ方式の一例を示す。
【００８５】
シンボルマップの開始ＯＦＤＭシンボルインデクスとして、第１４のＯＦＤＭシンボルが選択される。上記時間順方向の順序へのマップと同様に、開始ＯＦＤＭシンボルインデクスは固定された位置であって、ＰＤＣＣＨのサイズとは関係のないシンボルである。
【００８６】
開始ＯＦＤＭシンボルインデクスに対するマップが開始された後、時間逆方向の順序で次のＯＦＤＭシンボルである第１３のＯＦＤＭシンボルに対するマップを行う。第１３のＯＦＤＭシンボルに対するマップを行った後、第１２のＯＦＤＭシンボルに対するマップを行う。このような過程が繰り返され、該当のサブフレーム内のシンボルに対するマップを完了する。
【００８７】
サブフレームの最後のＯＦＤＭシンボルからマップを開始すること以外に、他の方式も考慮することができる。第２のスロットは、ＰＤＣＣＨに対するいずれの構成に対してもマップが常に可能である。そのため、第２のスロットが開始される第８のＯＦＤＭシンボルがマップの開始位置になることも可能である。第８のＯＦＤＭシンボルからマップが開始された後、順方向時間方向に第２のスロットをマップし、第１のスロットは、順方向時間方向又は逆方向時間方向に、又は上述したマップ方式の組合せでマップすることができる。これと異なり、第２のスロットにおいても、最後のＯＦＤＭシンボルから逆方向時間方向に第２のスロットをマップし、第１のスロットは、順方向時間方向又は逆方向時間方向に、又は上述したマップ方式の組合せでマップすることができる。
【００８８】
以上では、ＯＦＤＭシンボルのマップ順序について説明した。これと異なり、本発明で提案するＰＤＳＣＨ変調シンボルの物理資源マップにおいて、周波数領域でのマップ順序は既存の３ＧＰＰ  ＬＴＥ標準と同一であってよい。しかし、ＯＦＤＭシンボルマップ順序が反対になることによって、マップ順序が反対になることもある。
【００８９】
以下では、本発明の第２の方式として、ＰＣＦＩＣＨの復号結果をダブルチェックするパリティビットを使用する方式について説明する。
【００９０】
ＰＣＦＩＣＨを正確に復号できるときは、ＰＤＣＣＨサイズとＰＤＳＣＨマップとの間の依存性を緩和させる必要はない。すなわち、ＰＣＦＩＣＨ値に対する誤り発生に対する保護メカニズムが存在する場合、端末は、各変調シンボルをソフトバッファ（又はＨＡＲＱ受信バッファ）に記憶（又は入力）する際に発生するバッファ破綻現象に対して別途の解決方法を適用する必要がなくなる。したがって、以下では、ＰＣＦＩＣＨに対する保護メカニズムを具現する方法について論議する。
【００９１】
それによって、本発明の第２の方式は、ＰＣＦＩＣＨの復号誤りを防止するためのものである。
【００９２】
上記言及したように、本発明の第２の方式は、ＰＣＦＩＣＨに対する保護メカニズムであって、ＰＣＦＩＣＨの復号結果をダブルチェックするパリティビットを使用することである。現在のＰＣＦＩＣＨはＲｅｌ‐８  ＵＥ及びその後のＵＥにすべて使用されるため、現在のＰＣＦＩＣＨフォーマットは任意に修正することができない。したがって、現在のＰＣＦＩＣＨを修正する代わりに、ＰＨＩＣＨ又はＰＤＣＣＨ領域上の任意の物理資源領域に上記誤りに対する保護目的の任意の符号語を入れることによって、ＰＣＦＩＣＨに対する追加的な保護メカニズムを入れることができる。すなわち、一連のシンボル誤りチェックシーケンスがＰＨＩＣＨチャネルに送信するか、又は端末特定に定められるＰＤＣＣＨ送信可能資源領域（すなわち、端末特定ＰＤＣＣＨ検索空間）及び／又は端末共通に定められるＰＤＣＣＨ伝送可能資源領域（すなわち、共通検索空間）全体に対するＣＲＣチェックが行われるようにすることができる。このような誤りチェックシーケンスは、ＰＣＦＩＣＨ値及びＣＲＣ情報を含むか、ＣＲＣ値だけを含むことができる。これを具体化する一例として、誤りチェックシーケンスは、特定ＰＣＦＩＣＨ上の制御情報及びＣＲＣ情報（端末特定又は基地局特定の）又はＰＣＦＩＣＨ上の制御情報の特定値によって固有に定められるシーケンスであってよい。
【００９３】
ＰＣＦＩＣＨ保護メカニズムを有する端末の動作は、次のように説明される。
【００９４】
１）端末は、指示された／仮定されたダウンリンク搬送波上のＰＤＣＣＨ（資源割り当て）を監視する。また、端末は、永続割り当てによって一つのダウンリンク搬送波上の事前に規定された割り当てを有することができる。２）端末は、ターゲットダウンリンク搬送波のＰＣＦＩＣＨ値を復号する。３）端末は、ＰＨＩＣＨ又はＰＤＣＣＨから保護符号語を復号する。４）ＣＲＣパスによってチェックシーケンスに成功すると、ＰＤＣＣＨサイズ及びＰＤＳＣＨマップ開始ＯＦＤＭシンボルを知ることができるため、端末は割り当てられた資源から変調シンボルを判読する。
【００９５】
最後に、本発明の第３の方式を説明する。
【００９６】
本発明の第３の方式は、ＰＣＦＩＣＨを復号しないでも、ＰＣＦＩＣＨ値、すなわち、該当のＤＬ  ＣＣ上で端末特定又は基地局特定に定められるＰＤＣＣＨ伝送シンボル数の値、又は上記本発明で記述しているＰＤＳＣＨ伝送対象ＤＬ  ＣＣ上で端末特定若しくは基地局特定に定められるＰＤＳＣＨ変調シンボルの物理資源マップが開始されるＯＦＤＭシンボル位置のインデクス値を端末が知ることができるように、ＤＬ  ＣＣ別に見た値を端末特定又は基地局特定にＰＤＣＣＨのＤＣＩフォーマット送信又は上位階層ＲＲＣ信号通知で端末に指示する方式である。
【００９７】
これと異なる方法として、上位階層信号通知を通してＰＣＦＩＣＨサイズを指示する際に、ＤＬ  ＣＣ別に示すのではなく、任意の上位階層信号通知としてＲＲＣ信号通知を用いて搬送波（すなわち、ＤＬ  ＣＣ）共通情報としてＰＣＦＩＣＨ値又はＰＤＳＣＨ資源マップ開始ＯＦＤＭシンボルインデクスを指示することがより望ましい。ここで、ＲＲＣ信号によって送信されると説明したが、場合によっては、ＰＤＣＣＨを介したＤＣＩ送信として動的スケジュール信号によって端末に送信することも可能である。
【００９８】
すなわち、ＲＲＣ信号が使用されると、ＲＲＣ信号には頻繁な変更が許容されないため、ＰＣＦＩＣＨの変更は制限されることがある。ＰＣＦＩＣＨ値の柔軟な変更を可能にし、すべての端末がパケットシンボル判読を開始する前にＰＣＦＩＣＨ値を確認するために、ＰＣＦＩＣＨ値自体がＤＣＩフォーマット自体として柔軟に送信されることもある。
【００９９】
これら値は、上述したように、すべての構成されたセル特定又はＵＥ特定に、構成又は設定されるダウンリンク成分搬送波に対して個別的な制御情報又はその符号語として送信することができる。これと異なる一例として、一つのＰＤＣＣＨ  ＤＣＩフォーマットを通して、ＣＲＣ保護を有するターゲット成分搬送波又は一つ、複数又はすべてのＣＣに対してＰＣＦＩＣＨ値又はＰＤＳＣＨ変調シンボルの物理資源マップが開始されるＯＦＤＭシンボル位置のインデクス値を指示するように定義することができる。
【０１００】
上記各提案方法を通して、端末が一つのダウンリンク搬送波の資源割当ての存在を知った後、該当のダウンリンク搬送波（ＤＬ  ＣＣ）からターゲットＰＣＦＩＣＨ値又はＰＤＳＣＨ変調シンボルの物理資源マップが開始されるＯＦＤＭシンボル位置のインデクス値を事前に知って定めたり、該当のＤＬ  ＣＣ  ＰＣＦＩＣＨ復号に対する認証のために使用したりすることができる。
【０１０１】
本明細書全体を通して、「基地局」又は「セル」の用語は、ダウンリンク送信主体に対する表現であって、基地局又はセルだけでなく、ダウンリンク送信主体としてのリレーノードも含む意味として表現されていることが分かる。これと同様に、本明細書全体を通して、「端末」の用語は、ダウンリンク受信主体に対する表現であって、物理的なユーザ端末だけでなく、ダウンリンク受信主体としてのリレーノードも含む意味として表現されていることが分かる。
【０１０２】
図１１は、本発明の一実施例に係る送受信器のブロック図を例示する。送受信器は、基地局又は端末の一部であってよい。
【０１０３】
図１１を参照すると、送信器１１００は、プロセッサ１１１０、メモリ１１２０、ＲＦモジュール１１３０、ディスプレイモジュール１１４０及びユーザインタフェースモジュール１１５０を含む。送受信器１１００は、説明の便宜のために示したものであって、一部のモジュールは省略可能である。また、送受信器１１００は、必要なモジュールを更に含むことができる。また、送受信器１１００において、一部のモジュールはより細分化されたモジュールに区分することができる。プロセッサ１１２０は、図面を参照して例示した本発明の実施例に係る動作を行うように構成される。送信器１１００が基地局の一部である場合、プロセッサ１１２０は、信号を生成し、この信号を搬送波内に設定されたデータ領域にマップする機能を行うことができる。より具体的には、基地局の一部である送信器１１００のプロセッサ１１２０はダウンリンク信号を生成し、ダウンリンク信号のＰＤＳＣＨをサブフレーム内のデータ領域に割り当てる。ここで、ＰＤＳＣＨが割り当てられる資源は、サブフレーム内の固定されたＯＦＤＭシンボルから割り当てられるようにプロセッサ１１２０によって制御される。また、プロセッサ１１２０は、資源割り当てと関連して、上記の固定されたＯＦＤＭシンボルから資源割り当てを開始し、時間順方向又は時間逆方向の順序で資源割り当てを行う。
【０１０４】
メモリ１１２０は、プロセッサ１１１０に接続され、オペレーティングシステム、アプリケーション、プログラムコード、データなどを記憶する。ＲＦモジュール１１３０は、プロセッサ１１１０に接続され、基底帯域信号を無線信号に変換したり、無線信号を基底帯域信号に変換したりする機能を行う。このために、ＲＦモジュール１１３０は、アナログ変換、増幅、フィルタ及び周波数アップコンバージョン又はこれらの逆過程を行う。また、ＲＦモジュール１１３０は、プロセッサ１１２０によって資源が割り当てられたダウンリンク信号を送信する役割をする。ディスプレイモジュール１１４０は、プロセッサ１１１０に接続されて多様な情報を表示する。ディスプレイモジュール１１４０としては、これに制限されることはないが、液晶ディスプレイ（ＬＣＤ）、発光ダイオード（ＬＥＤ）、有機発光ダイオード（ＯＬＥＤ）などのよく知られた要素を使用することができる。ユーザインタフェースモジュール１１５０は、プロセッサ１１１０と接続され、キーパッド、タッチスクリーンなどのよく知られたユーザインタフェースの組合せで構成することができる。
【０１０５】
以上説明した各実施例は、本発明の構成要素と特徴が所定形態で組み合わされたものである。各構成要素又は特徴は、別途の明示的な言及がない限り、選択的なものとして考慮しなければならない。各構成要素又は特徴は、他の構成要素や特徴と組み合わせない形態で実施することができる。また、一部の構成要素及び／又は各特徴を組み合わせて本発明の実施例を構成することも可能である。本発明の各実施例で説明される各動作の順序は変更可能である。一つの実施例の一部の構成や特徴は、他の実施例に含ませたり、他の実施例の対応する構成又は特徴に置き替えたりすることができる。特許請求の範囲で明示的な引用関係のない各請求項を組み合わせて実施例を構成したり、出願後の補正によって新しい請求項を含ませたりすることが可能であることは自明である。
【０１０６】
本明細書では、本発明の各実施例は、主に端末と基地局との間のデータ送受信関係を中心に説明した。本明細書において、基地局によって行われると説明した特定動作は、場合に応じてその上位ノードによって行うことができる。すなわち、基地局を含む複数のネットワークノードからなるネットワークで端末との通信のために行われる多様な動作は、基地局又は基地局以外の他のネットワークノードによって行えることは自明である。「基地局」は、固定局、ノードＢ、進化ノードＢ（ｅＮＢ）、アクセスポイントなどの用語に置き替えることができる。また、「端末」は、ユーザ装置（ＵＥ）、移動機（ＭＳ）、移動加入者局（ＭＳＳ）などの用語に置き替えることができる。
【０１０７】
本発明に係る実施例は、多様な手段、例えば、ハードウェア、ファームウェア、ソフトウェア又はそれらの組合せなどによって具現することができる。ハードウェアによる具現の場合、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現することができる。
【０１０８】
ファームウェア又はソフトウェアによる具現の場合、本発明の一実施例は、以上説明した機能又は各動作を行うモジュール、手順、関数などの形態で具現することができる。ソフトウェアコードは、メモリユニットに記憶されてプロセッサによって駆動され得る。上記メモリユニットは、上記プロセッサの内部又は外部に位置し、既に公知の多様な手段によって上記プロセッサとデータを取り交わすことができる。
【０１０９】
本発明は、その特徴を逸脱しない範囲で他の特定の形態で具体化され得ることは当業者にとって自明である。したがって、上記の詳細な説明は、すべての面で制限的に解釈してはならず、例示的なものとして考慮しなければならない。本発明の範囲は、添付の請求項の合理的な解釈によって決定しなければならず、本発明の等価的範囲内でのすべての変更は本発明の範囲に含まれる。
【産業上の利用可能性】
【０１１０】
本発明は、信号送信方法に適用することができる。より具体的には、本発明は、無線通信システムにおけるダウンリンク信号の送信方法に適用することができる。
【図１】
2013502870.tif 000005
【図２】
2013502870.tif 000006
【図３】
2013502870.tif 000007
【図４】
2013502870.tif 000008
【図５】
2013502870.tif 000009
【図６】
2013502870.tif 000010
【図７】
2013502870.tif 000011
【図８】
2013502870.tif 000012
【図９】
2013502870.tif 000013
【図１０】
2013502870.tif 000014
【図１１】
2013502870.tif 000015
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
無線通信システムにおいて、通信装置によって物理ダウンリンク共有チャネル（ＰＤＳＣＨ）信号を受信する方法であって、
前記ＰＤＳＣＨ信号が受信される領域を識別するために用いる情報を含む無線資源制御（ＲＲＣ）信号を受信するステップと、
前記ＰＤＳＣＨ信号用の資源ブロック（ＲＢ）割当て情報を含む物理ダウンリンク制御チャネル（ＰＤＣＣＨ）信号を受信するステップと、
前記領域の開始ＯＦＤＭシンボルから前記ＰＤＳＣＨ信号を受信するステップと、を有し、
前記ＰＤＣＣＨ信号は第１ダウンリンク成分搬送波上で受信され、前記ＰＤＳＣＨ信号は、前記第１ダウンリンク成分搬送波とは異なる第２ダウンリンク成分搬送波上で受信される、方法。
【請求項２】
前記ＲＲＣ信号内の情報は、前記ＰＤＳＣＨ信号が受信される前記開始ＯＦＤＭシンボルを示す、請求項１に記載の方法。
【請求項３】
前記ＲＲＣ信号内の情報は、複数のダウンリンク成分搬送波に共通に適用される、請求項１に記載の方法。
【請求項４】
前記第１ダウンリンク成分搬送波を介して、物理ダウンリンク制御チャネル（ＰＤＣＣＨ）信号を受信するステップと、
前記第１ダウンリンク成分搬送波とは異なる第３ダウンリンク成分搬送波を介して、前記開始ＯＦＤＭシンボルから前記ＰＤＳＣＨ信号を受信するステップと、
を更に有する請求項３に記載の方法。
【請求項５】
無線通信システムにおいて、物理ダウンリンク共有チャネル（ＰＤＳＣＨ）信号を受信する通信装置であって、
無線周波（ＲＦ）モジュールと、
プロセッサと、を備え、該プロセッサは、
前記ＰＤＳＣＨ信号が受信される領域を識別するために用いる情報を含む無線資源制御（ＲＲＣ）信号を受信し、
前記ＰＤＳＣＨ信号用の資源ブロック（ＲＢ）割当て情報を含む物理ダウンリンク制御チャネル（ＰＤＣＣＨ）信号を受信し、
前記領域の開始ＯＦＤＭシンボルから前記ＰＤＳＣＨ信号を受信する、ように構成され、
前記ＰＤＣＣＨ信号は第１ダウンリンク成分搬送波上で受信され、前記ＰＤＳＣＨ信号は、前記第１ダウンリンク成分搬送波とは異なる第２ダウンリンク成分搬送波上で受信される、通信装置。
【請求項６】
前記ＲＲＣ信号内の情報は、前記ＰＤＳＣＨ信号が受信される前記開始ＯＦＤＭシンボルを示す、請求項５に記載の通信装置。
【請求項７】
前記ＲＲＣ信号内の情報は、複数のダウンリンク成分搬送波に共通に適用される、請求項５に記載の通信装置。
【請求項８】
前記プロセッサは、
前記第１ダウンリンク成分搬送波を介して、物理ダウンリンク制御チャネル（ＰＤＣＣＨ）信号を受信し、
前記第１ダウンリンク成分搬送波とは異なる第３ダウンリンク成分搬送波を介して、前記開始ＯＦＤＭシンボルから前記ＰＤＳＣＨ信号を受信する、ように更に構成される、請求項７に記載の通信装置。
【請求項９】
無線通信システムにおいて、送信器によって物理ダウンリンク共有チャネル（ＰＤＳＣＨ）信号を送信する方法であって、
前記ＰＤＳＣＨ信号が送信される領域を識別するために用いる情報を含む無線資源制御（ＲＲＣ）信号を送信するステップと、
前記ＰＤＳＣＨ信号用の資源ブロック（ＲＢ）割当て情報を含む物理ダウンリンク制御チャネル（ＰＤＣＣＨ）信号を送信するステップと、
前記領域の開始ＯＦＤＭシンボルから前記ＰＤＳＣＨ信号を送信するステップと、を有し、
前記ＰＤＣＣＨ信号は第１ダウンリンク成分搬送波上で送信され、前記ＰＤＳＣＨ信号は、前記第１ダウンリンク成分搬送波とは異なる第２ダウンリンク成分搬送波上で送信される、方法。
【請求項１０】
前記ＲＲＣ信号内の情報は、前記ＰＤＳＣＨ信号が送信される前記開始ＯＦＤＭシンボルを示す、請求項９に記載の方法。
【請求項１１】
前記ＲＲＣ信号内の情報は、複数のダウンリンク成分搬送波に共通に適用される、請求項９に記載の方法。
【請求項１２】
前記第１ダウンリンク成分搬送波を介して、物理ダウンリンク制御チャネル（ＰＤＣＣＨ）信号を送信するステップと、
前記第１ダウンリンク成分搬送波とは異なる第３ダウンリンク成分搬送波を介して、前記開始ＯＦＤＭシンボルから前記ＰＤＳＣＨ信号を送信するステップと、
を更に有する請求項１１に記載の方法。
【請求項１３】
無線通信システムにおいて、物理ダウンリンク共有チャネル（ＰＤＳＣＨ）信号を送信する送信器であって、
無線周波（ＲＦ）モジュールと、
プロセッサと、を備え、該プロセッサは、
前記ＰＤＳＣＨ信号が送信される領域を識別するために用いる情報を含む無線資源制御（ＲＲＣ）信号を送信し、
前記ＰＤＳＣＨ信号用の資源ブロック（ＲＢ）割当て情報を含む物理ダウンリンク制御チャネル（ＰＤＣＣＨ）信号を送信し、
前記領域の開始ＯＦＤＭシンボルから前記ＰＤＳＣＨ信号を送信する、ように構成され、
前記ＰＤＣＣＨ信号は第１ダウンリンク成分搬送波上で送信され、前記ＰＤＳＣＨ信号は、前記第１ダウンリンク成分搬送波とは異なる第２ダウンリンク成分搬送波上で送信される、送信器。
【請求項１４】
前記ＲＲＣ信号内の情報は、前記ＰＤＳＣＨ信号が送信される前記開始ＯＦＤＭシンボルを示す、請求項１３に記載の送信器。
【請求項１５】
前記ＲＲＣ信号内の情報は、複数のダウンリンク成分搬送波に共通に適用される、請求項１３に記載の送信器。
【請求項１６】
前記プロセッサは、
前記第１ダウンリンク成分搬送波を介して、物理ダウンリンク制御チャネル（ＰＤＣＣＨ）信号を送信し、
前記第１ダウンリンク成分搬送波とは異なる第３ダウンリンク成分搬送波を介して、前記開始ＯＦＤＭシンボルから前記ＰＤＳＣＨ信号を送信する、ように更に構成される、請求項１５に記載の送信器。
【国際調査報告】
2013502870.tif 000016
2013502870.tif 000017
2013502870.tif 000018
2013502870.tif 000019